【事件の表示】
　特許第３２９２２７６号「ボイスコイル構造並びにボイスコイルの装着方法及びその装置」の請求項１ないし６に係る特許に対する特許異議の申立てについて、次のとおり決定する。
【結　論】
　特許第３２９２２７６号の請求項１ないし６に係る特許を維持する。
【理　由】
１． 本件発明
　本件特許第３２９２２７６号（平成７年９月２７日出願、平成１４年３月２９日設定登録。）の請求項１ないし６に係る発明（以下「本件特許発明１ないし６」という。）は、それぞれ、その特許請求の範囲の請求項１ないし６に記載された次のとおりのものである。
「【請求項１】　ボイスコイルのボビンがフィルム成形により内側ボビン部と外側ボビン部とで断面略「Ｕ」字形に形成されると共に該両ボビン部の「Ｕ」字形部分から構成されるＵ字溝内に空芯コイルが配置されて接着剤で固定されてなるボイスコイル構造において、前記Ｕ字溝がフィルム成形時に空芯コイルの断面幅より狭く形成されると共にその断面幅より広げることが可能に形成され、挿入後の空芯コイルを弾性力ではさみ込むようにしたことを特徴とするボイスコイル構造。
【請求項２】　前記内側ボビン部が振動板のチャンバーと一体に成形されると共に前記外側ボビン部がコーン振動板と一体に成形されていることを特徴とする請求項１記載のボイスコイル構造。
【請求項３】　ボイスコイルのボビンがフィルム成形により内側ボビン部と外側ボビン部とで断面略「Ｕ」字形に形成され、該両ボビン部の「Ｕ」字形部分から構成されるＵ字溝内に空芯コイルを装着するボイスコイルの装着方法において、前記ボビンが嵌合するように断面略「Ｕ」字形の溝部を有すると共に該溝部に吸引孔を形成した金型内に前記ボビンを挿入し、前記吸引孔を介して前記溝部内を負圧にすることにより前記内側ボビン部及び前記外側ボビン部を溝部周面側に吸着して前記空芯コイルを挿入するに必要なクリアランスを形成し、前記空芯コイルを挿入した後、前記溝部内を正圧に戻して前記内側ボビン部及び前記外側ボビン部と前記空芯コイルとを密着させ、前記Ｕ字溝内に接着剤を充填して固定することを特徴とするボイスコイルの装着方法。
【請求項４】　前記内側ボビン部がチャンバーと、前記外側ボビン部がコーン振動板とそれぞれ一体成型されていることを特徴とする請求項３記載のボイスコイルの装着方法。
【請求項５】　フィルム成形により内側ボビン部と外側ボビン部とで断面略「Ｕ」字形に形成されたボイスコイルのボビンの該Ｕ字溝内に空芯コイルを装着するためのボイスコイルの装着装置において、少なくとも前記ボビンが嵌合するように断面略「Ｕ」字形の溝部を設けた金型に該溝部内に負圧にするための吸引孔を形成したことを特徴とするボイスコイルの装着装置。
【請求項６】　前記金型にはチャンバーと一体成形された前記内側ボビン部及びコーン振動板と一体成形された前記外側ボビン部がそれぞれ密着する成形面が設けられていることを特徴とする請求項５記載のボイスコイルの装着装置。」
　
２． 特許異議の申立ての概要
　申立人小野浩一は、証拠として甲第１号証（実願平５−２０９９７号（実開平６−７３９９９号）のＣＤ−ＲＯＭ）、甲第２号証（特開平７−８８８５３号公報）、甲第３号証（特開昭５７−１６５６１８号公報）、甲第４号証（特開平６−５１３６号公報）、参考資料１（特開平６−３０４９３７号公報）を提出し、請求項１ないし６に係る発明の特許は特許法第２９条第２項の規定に違反してなされたものであるから、請求項１ないし６に係る発明の特許を取り消すべき旨主張している。
　
３． 申立人が提出した甲各号証及び参考資料１に記載の発明
（Ａ）甲第１号証（実願平５−２０９９７号（実開平６−７３９９９号）のＣＤ−ＲＯＭ）には、小型スピーカー用として、従来、ポリエチレン、ポリプロピレン等の熱可塑性の合成樹脂を主な材料とするシート材、フィルム材等を熱成形して、振動板、コイル嵌合部及びセンターキャップ部を一体に備えたものがあり、コイル嵌合部は、内・外周壁及び底壁が一体に形成された溝状であって、振動板の中央部に、これとセンターキャップ部との間で同心状に周方向に形成されている。そして、このコイル嵌合部に、振動板の前面側からボビンレス型のボイスコイルを嵌め込み、その開口側に接着剤を注入してボイスコイルを固定していること（第４頁１５行ないし２４行）、及び、振動板の中央部にコイル嵌合部を一体に熱成形し、このコイル嵌合部に、該コイル嵌合部の軸心方向の一方側からボイスコイルを嵌め込んで成る振動板のボイスコイル取付構造において、コイル嵌合部におけるボイスコイルの嵌め込み側に抜け止め部９，１０を一体に熱成形し、この抜け止め部９，１０によりコイル嵌合部にボイスコイルを固定したことを特徴とする振動板のボイスコイル取付構造（実用新案登録請求の範囲）、さらに、内・外周壁の抜け止め部９，１０間に間隙を設ければ、抜け止め部９，１０同士が離れているので、両者の間に多少のばらつきがあっても、不十分な接触に伴って発生する異音も防止できること（第８頁８行ないし１１行）が記載されている。
（Ｂ）同じく甲第２号証（特開平７−８８８５３号公報）には、コーン部とボイスコイルボビン部とチャンバ部を一体成型して、０．３〜０．２ミリ程度の間隔でスリット状になったボビン部にボイスコイルを挿入するような振動板形状、即ち、一つの成形部品に複数の垂直部（前記ボビン部）が極めて狭い間隔で配置された成型品、及び、前記振動板形状は上金具、下金具により熱成形されること（第２頁段落３、４）が記載されている。
（Ｃ）甲第３号証（特開昭５７−１６５６１８号公報）には、自動車排出ガス浄化用マニホールド触媒コンバータに関し、キーリングを圧入する前はシール材の外部の隙間に遊嵌されているＵ字状カラーリングの溝に、キーリングを圧入し、Ｕ字状カラーリングの直径を拡大してシール材を圧縮し、これにより触媒本体とアウターシェルの隙間を完全にシールすること（第２頁右下欄１４行ないし第３頁右上欄１行）が記載されている。
（Ｄ）甲第４号証（特開平６−５１３６号公報）には、電線マークチューブ装着法に関し、識別記号を刻印し一定長さに切断した電線マークチューブ２を治具例えば放射状に設けられた６個の吸引ノズル１の中央部に置き、吸引ノズル１をシリンダ４により移動して電線マークチューブ２の外周部に接触させると吸引弁５が開き、真空ポンプ６により６個の吸引ノズル１の内部の空気を抜き、大気に対し吸引ノズル１内部が負圧になり電線マークチューブ２は吸引ノズル１に吸着される。この吸着が完了すると、吸引ノズル１をシリンダ４により外方に動かし電線マークチューブ２をその弾性範囲内で直径方向に広げ、その状態で電線３を電線マークチューブ２に挿入する。次に、吸引弁５を大気側に開放すれば電線マークチューブ２は吸引ノズル１から開放され、これにより電線マークチューブ２はその弾性により吸引ノズル１から外れ電線３に装着固定されること（第２頁右欄１４行ないし３０行）が記載されている。
（Ｅ）参考資料１（特開平６−３０４９３７号公報）には、発泡成形型の型面へプラスチック製表皮を配置し、型面に通じる透孔を利用して該表皮と型面間に真空吸引をかけながら、表皮内面へ液状発泡原料を注入し、表皮と一体に発泡成形する表皮一体発泡品の製造方法が記載されている。
　
４． 異議申立てに対する当審の判断
（１） 本件特許発明１、３、５について
　本件特許発明１と申立人が提出した甲各号証及び参考資料１に記載の発明を対比すると、当該刊行物のいずれにも、本件特許発明１の主要事項である
（ア） ボイスコイル構造において、Ｕ字溝がフィルム成形時に空芯コイルの断面幅より狭く形成されると共にその断面幅より広げることが可能に形成され、挿入後の空芯コイルを弾性力ではさみ込むようにしたこと
　本件特許発明３と申立人が提出した甲各号証及び参考資料１に記載の発明を対比すると、当該刊行物のいずれにも、本件特許発明３の主要事項である
（イ） ボイスコイルの装着方法において、ボビンが嵌合するように断面略「Ｕ」字形の溝部を有すると共に該溝部に吸引孔を形成した金型内に前記ボビンを挿入し、前記吸引孔を介して前記溝部内を負圧にすることにより前記内側ボビン部及び前記外側ボビン部を溝部周面側に吸着して前記空芯コイルを挿入するに必要なクリアランスを形成し、前記空芯コイルを挿入した後、前記溝部内を正圧に戻して前記内側ボビン部及び前記外側ボビン部と前記空芯コイルとを密着させること
　本件特許発明５と申立人が提出した甲各号証及び参考資料１に記載の発明を対比すると、当該刊行物のいずれにも、本件特許発明５の主要事項である
（ウ） ボイスコイルの装着装置において、少なくとも前記ボビンが嵌合するように断面略「Ｕ」字形の溝部を設けた金型に該溝部内に負圧にするための吸引孔を形成したこと
が記載されておらず、また、当該事項を示唆する記載もされていない。
　
　以下、甲各号証の記載について検討する。
　甲第１号証には、コイル嵌合部の軸心方向の一方側からボイスコイルを嵌め込んで成る振動板のボイスコイル取付構造において、コイル嵌合部におけるボイスコイルの嵌め込み側に抜け止め部９，１０を一体に熱成形し、この抜け止め部９，１０によりコイル嵌合部にボイスコイルを固定した振動板のボイスコイル取付構造が記載されている。すなわち、ボイスコイルは、コイル嵌合部に嵌め込まれ、抜け止め部９，１０により固定されると記載されているが、前記主要事項（ア）、（イ）、（ウ）について記載も示唆もない。
　甲第２号証には、コーン部とボイスコイルボビン部とチャンバ部を一体成型して、０．３〜０．２ミリ程度の間隔でスリット状になったボビン部にボイスコイルを挿入するような振動板の成型方法に関する記載はあるが、上記主要事項（ア）、（イ）、（ウ）について記載も示唆もない。
　甲第３号証には、自動車排出ガス浄化用マニホールド触媒コンバータに関し、Ｕ字状カラーリングの溝に、キーリングを圧入し、Ｕ字状カラーリングの直径を拡大してシール材を圧縮し、これにより触媒本体とアウターシェルの隙間を完全にシールすること、甲第４号証には、電線マークチューブ装着法に関し、電線マークチューブを吸引ノズルの中央部に置き、吸引ノズルの内部の空気を抜き、電線マークチューブをその弾性範囲内で直径方向に広げ、その状態で電線を電線マークチューブに挿入し、次に、吸引弁を大気側に開放することにより電線マークチューブを電線に装着固定することが、また、参考資料１には、表皮一体発泡品の製造方法が記載されているが、上記主要事項（ア）、（イ）、（ウ）について記載も示唆もない。
　さらに、前記甲第１、２号証には、Ｕ字溝をフィルム成形時に空芯コイルの断面幅より狭く形成するとともにその断面幅より広げることが可能に形成し、挿入後の空芯コイルを弾性力ではさみ込むという考え、あるいは、ボビンが嵌合するように断面略「Ｕ」字形の溝部を有すると共に該溝部に吸引孔を形成した金型内に前記ボビンを挿入し、前記吸引孔を介して前記溝部内を負圧にすることにより前記内側ボビン部及び前記外側ボビン部を溝部周面側に吸着して前記空芯コイルを挿入するに必要なクリアランスを形成するという考えはなく、一方、前記甲第３、４号証は自動車排出ガス浄化用マニホールド触媒コンバータあるいは電線マークチューブ装着法に関するものであることから、スピーカーにおける振動板に関する前記甲第１号証あるいは前記甲第２号証と前記甲第３、４号証を組み合わせることが容易に着想できることとは認められず、前記甲各号証を組み合わせることにより、本件特許発明１、３、５の前記主要事項（ア）、（イ）、（ウ）が容易になし得たとすることはできない。
　そして、本件特許発明１、３、５は、前記主要事項（ア）、（イ）、（ウ）により、「内側ボビン部及び外側ボビン部と空芯コイルとの間に不必要に大きなクリアランスがないから有効コイル厚が得られ、しかも軽量化に有利である。」、「内側ボビン部と外側ボビン部とで断面略「Ｕ」字形に形成されたボビン、特に一体振動板に形成されたボビンのＵ字溝内への空芯コイルの装着が極めて容易であると共に内側ボビン部及び外側ボビン部と空芯コイルとの間に不必要に大きなクリアランスを設けることなく確実に密着させて装着することができる。」、「ボイスコイルの装着装置は、従来の振動板受け治具とコイル治具とからなる装置を改良するだけで簡単に実施できる。」という顕著な作用効果を奏するものである。
　したがって、本件特許発明１、３、５は、異議申立人が提出した刊行物に記載された発明に基づいて当業者が容易になし得たものとはいえない。
　
（２） 本件特許発明２、４、６について
　本件特許発明２、４、６は、それぞれ、本件特許発明１、３、５を引用する形式で記載された発明であって、本件特許発明１、３、５をさらに限定したものであるから、上記本件特許発明１、３、５についての判断と同様の理由により、異議申立人が提出した刊行物に記載された発明に基づいて当業者が容易になし得たものとはいえない。
　
５． むすび
　以上のとおりであるから、特許異議申立ての理由及び証拠によっては本件特許発明１ないし６についての特許を取り消すことができない。
　また、他に本件特許発明１ないし６についての特許を取り消すべき理由を発見しない。
　よって、結論のとおり決定する。
【異議決定日】
平成１５年２月２１日（２００３．２．２１）